【手続補正書】
【提出日】平成16年9月14日(2004.9.14)
【手続補正１】
【補正対象書類名】特許請求の範囲
【補正対象項目名】全文
【補正方法】変更
【補正の内容】
【特許請求の範囲】
【請求項１】
レーザー放射デバイスのアタッチメントであって、
該レーザー放射デバイスと取り外し可能に係合するように構成された第１の端部を有し、かつ、第２の端部をさらに有する本体と、
該本体の該第２の端部と関連したキャップとを備え、
該本体は、該デバイスにエネルギーを与えることを可能にする、該レーザー放射デバイスとの予備係合と、該デバイスの発射を可能にする、該レーザー放射デバイスとの２次係合とを容易にするように適合された、係合手段を備える、レーザー放射デバイスのアタッチメント。
【請求項２】
第１のタブは、前記アタッチメントの前記本体の前記第１の端部に配置され、該第１のタブは、前記予備係合している前記レーザー放射デバイスのレバーと係合するように適合される、請求項１に記載のアタッチメント。
【請求項３】
前記第１のタブが、斜端面を有する、請求項２に記載のアタッチメント。
【請求項４】
前記第１のタブに対する前記本体の対向する側に配置された第２のタブは、前記２次係合している前記レーザー放射デバイスのスイッチと係合するように適合される、請求項２に記載のアタッチメント。
【請求項５】
前記第２のタブは、前記デバイスと２次係合している前記レーザー放射デバイスによって読み取り可能である電子識別手段を備える、請求項４に記載のアタッチメント。
【請求項６】
前記係合手段は、前記本体の前記第１の端部に環状保持リップを備える、請求項１に記載のアタッチメント。
【請求項７】
前記保持リップは、斜端面を有する、請求項６に記載のアタッチメント。
【請求項８】
前記本体の前記第２の端部は、前記キャップと係合するか、または該キャップと一体化される、請求項１に記載のアタッチメント。
【請求項９】
前記本体は、前記第１の端部と前記第２の端部との間に延びる通路を備え、前記キャップは、実質的に中心の開口部を備え、該通路および該開口部は、前記デバイスのレーザービームが前記アタッチメントを通ることを可能にするように釣り合っている、請求項１に記載のアタッチメント。
【請求項１０】
透明な膜が、前記本体の前記通路と、前記キャップの前記開口部との間に配置される、請求項９に記載のアタッチメント。
【請求項１１】
前記膜が、レーザー突発エネルギーの少なくとも９２％の通過を可能にする、請求項１０に記載のアタッチメント。
【請求項１２】
前記膜がテフロン（登録商標）から形成されている、請求項１０に記載のアタッチメント。
【請求項１３】
前記キャップの前記開口部は、該開口部を通って前記レーザーを発射すると、前記レーザー放射デバイスの該レーザーがクリップされるようになっている、請求項９に記載のアタッチメント。
【請求項１４】
前記本体は、前記キャップによって収容され、かつ、該キャップと係合するフランジを備える、請求項１に記載のアタッチメント。
【請求項１５】
前記本体は、該本体の前記第１の端部が前記レーザー放射デバイスと係合された場合、該レーザー放射デバイスの動作を制御するように構成された制御デバイスを備える、請求項１に記載のアタッチメント。
【請求項１６】
前記制御デバイスは、電気回路を備える、請求項１５に記載のアタッチメント。
【請求項１７】
前記電気回路は、前記レーザー放射デバイスに配置されたレーザー素子が、前記本体の前記第１の端部が該レーザー放射デバイスと係合された場合、該レーザー放射デバイスと関連した電源から電荷を引き出すことを可能にするように構成される、請求項１６に記載のアタッチメント。
【請求項１８】
前記電気回路は、前記レーザー素子が前記電源から電荷を引き出すことを防止するために、所定の量の電荷が該電気回路を通過した後に動作を停止するように構成されるヒューズ素子を備える、請求項１６に記載のアタッチメント。
【請求項１９】
前記電気回路は、所定のコードシーケンスを含むメモリを備える、請求項１６に記載のアタッチメント。
【請求項２０】
前記電気回路は、前記所定のコードシーケンスを前記レーザー放射デバイスに伝達するように構成される、請求項１９に記載のアタッチメント。
【請求項２１】
前記電気回路は、前記レーザー放射デバイスの動作に応答して、前記メモリから前記所定のコードシーケンスを消去するように構成される、請求項１９に記載のアタッチメント。
【請求項２２】
前記レーザー放射デバイスを動作させるための該レーザー放射デバイス内の機構を駆動するために、皮膚と接触することによって少なくとも最小量の圧力が前記キャップにかけられた場合、動くように、前記本体は前記レーザー放射デバイスと取り外し可能に係合するように構成される、請求項１に記載のアタッチメント。
【請求項２３】
前記皮膚と接触することによって少なくとも最小の圧力が前記キャップにかけられた場合、該キャップは、前記レーザー放射デバイスの焦点面に実質的に配置可能である、請求項２２に記載のアタッチメント。
【請求項２４】
前記レーザー放射デバイスの発射の際に、または該デバイスからの前記アタッチメントの取り外しの際に、該アタッチメントが、再使用され得ないように変更される、請求項１に記載のアタッチメント。
【請求項２５】
レーザー放射デバイスのアタッチメントであって、
該レーザー放射デバイスと取り外し可能に係合するように構成された係合手段と、
該係合手段に取り付けられ、かつ、患者の皮膚と接触するように構成された接触面と、
該アタッチメントが該レーザー放射デバイスと係合された場合、該レーザー放射デバイスの動作を制御するように構成される制御手段であって、該係合手段が、該デバイスにエネルギーを与えることを可能にする、該レーザー放射デバイスとの予備係合と、該デバイスの発射を可能にする、該レーザー放射デバイスとの２次係合とを容易にするように適合されている、制御手段と
を備える、レーザー放射デバイスのアタッチメント。
【手続補正２】
【補正対象書類名】明細書
【補正対象項目名】０００５
【補正方法】変更
【補正の内容】
【０００５】
本発明の１つの局面によれば、レーザー放射デバイスのためのアタッチメントが提供され、このアタッチメントは：第１の端部およびさらに第２の端部を有する、本体であって、この第１の端部は、レーザー放射デバイスに取り外し可能に係合するように構成されている、本体；ならびに本体の第２の端部に付随するキャップを備え、ここで、この本体は、このデバイスにエネルギーを与えることを可能にする、レーザー放射デバイスとの予備係合と、このデバイスの発射を可能にする、レーザー放射デバイスとの２次係合とを容易にするように適合されている、係合手段を備える。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
好ましい実施形態において、第１のタブ（好ましくは、斜端面を有する）が、アタッチメントの本体の第１の端部に位置し、これは、レーザーアブレーションデバイスへの取り付けの最初の係合の際に、レーザー放射デバイスのレバーを係合する。第２のタブが、第１のタブに対して本体の第１の端部の反対側に位置し、アタッチメントがレーザー放射デバイスに最終作動位置まで挿入され、レーザー放射デバイスを作動させる場合に、第２のタブが、レーザー放射デバイスのスイッチを係合することが好ましい。
【手続補正５】
【補正対象書類名】明細書
【補正対象項目名】００１３
【補正方法】変更
【補正の内容】
【００１３】
本体およびキャップは、互いに一体的であり得る。あるいは、本体は、キャップと係合するように適合され得る。この点に関して、これらの２つの部分が一体的であっても、またはこれらが互いに係合してもこの本体が、第１の端部と第２の端部との間に延びる通路を備え、そしてこのキャップが、実質的に中心の開口部を備え、これらの通路および開口部が、このアタッチメントを介してレーザー放射デバイスのレーザービームの通過を容易にするように釣り合うことが好ましい。好ましくは、透明な膜またはレンズは、本体の通路とキャップの開口部との間に位置する。レンズは、任意の適切な形態をとり得、そして任意の適切な材料から作製される。例えば、レンズは、層状の構造を有し得る。しかし、レンズは、好ましくは、テフロン（登録商標）から作製される。
【手続補正６】
【補正対象書類名】明細書
【補正対象項目名】００２２
【補正方法】変更
【補正の内容】
【００２２】
本発明の代替の実施形態では、レーザー放射デバイスのためのアタッチメントが提供され、これは：レーザー放射デバイスを取り外し可能に係合するよう構成された係合手段；この係合手段に取り付けられ、かつ患者の皮膚と接触するように構成された接触表面；および上記アタッチメントがレーザー放射デバイスと係合するとき、レーザー放射デバイスの作動を制御するように構成された制御手段を備え、ここで、この係合手段は、デバイスにエネルギーを与えることを可能にする、レーザー放射デバイスとの予備係合と、デバイスの発射を可能にする、レーザー放射デバイスとの２次係合とを容易にするように適合される。